(57)【要約】【課題】健康診断業務で各受診者専用のＲＦＩＤを利用して業務の効率化を図る。【解決手段】各受診者は病院から配布される腕時計型ＲＦＩＤ１１により、検診進捗管理端末１４から案内される各受診者への受診順番・待ち時間等の情報を受信する。受診者はＲＦＩＤから検診指示情報を受けると、当該検査室へ移動し、付設されている読取書込装置１３にＲＦＩＤを近接して検診開始・終了情報を検診進捗管理端末１４に通知する。検診進捗管理端末１４は最適な受診順を逐次計算し、該当する受診者ＲＦＩＤへ検診指示情報を伝達する。ＲＦＩＤ１１は検診指示情報を受信する数メートルの範囲、及び診断開始・終了を送信する数センチの範囲の通信が可能な２種類のＲＦＩＤより構成される。【選択図】図１
2006302006.tif 000002
【特許請求の範囲】
【請求項１】
検診項目の異なる複数の検査設備と、検査種目ごとに複数の受診者の待ち順を管理して順次受診者を割り当てる制御用コンピュータを備える人間ドック管理システムにおいて、
受診者とシステム側とで送受信可能であり、受診者の固有ＩＤ等を登録した受診者携帯用ＲＦＩＤと、前記検査設備毎に付帯され、検診の開始情報と終了情報を受診者携帯用ＲＦＩＤから読み取るＲＦＩＤ読取装置と、前記制御用コンピュータから前記施設の利用指示情報をアンテナを介して前記受診者携帯用ＲＦＩＤに送信する通信手段を設け、
前記制御用コンピュータは前記ＲＦＩＤ読取装置を介して前記開始情報と終了情報を受け取ると、各検査設備の最適な利用順を計算して該当する利用者携帯用ＲＦＩＤへ受診指示情報を伝達することを特徴とする人間ドック管理システム。
【請求項２】
請求項１において、前記受診者携帯用ＲＦＩＤは前記制御用コンピュータから、次の受診までの待ち時間を個別に受信できることを特徴とする人間ドック管理システム。
【請求項３】
請求項１において、前記受診者携帯用ＲＦＩＤは、受信した着信情報を振動および／または光によって認知させる機能を有していることを特徴とする人間ドック管理システム。
【請求項４】
請求項１において、前記受診者携帯用ＲＦＩＤは数メートル及び数センチメートルの２種類の通信範囲を有するものから構成されていることを特徴とする人間ドック管理システム。
【請求項５】
検診項目の異なる複数の検査設備と、検査種目ごとに複数の受診者の待ち順を管理する制御用コンピュータを備え、順次受診者を割り当てる人間ドック管理方法において、
受診者とシステム側との間で送受信可能で、受診者の固有ＩＤ等を登録した受診者携帯用ＲＦＩＤを有し、前記制御用コンピュータは前記受診者携帯用ＲＦＩＤから検診の開始情報と終了情報を受け取ると、各検査設備の最適な利用順を計算して該当する利用者携帯用ＲＦＩＤへ受診指示情報を伝達することを特徴とする人間ドック管理方法。
【請求項６】
請求項５において、前記最適な利用順は検診待機者の中から待時間が最長の受信者を検索し、該受信者に次の検診項目を割り当てることを特徴とする人間ドック管理方法。
【請求項７】
利用種目の異なる複数の利用施設と、利用種目ごとに複数の利用者の待ち順を管理して順次利用者を割り当てる制御用コンピュータを備える待順番管理システムにおいて、
利用者とシステムとで送受信可能であり、利用者の固有ＩＤ等を登録した利用者携帯用ＲＦＩＤと、前記利用施設毎に付帯され、施設利用の開始情報と終了情報を利用者携帯用ＲＦＩＤから読み取るＲＦＩＤ読取装置と、前記制御用コンピュータから前記施設の利用指示情報をＲＦＩＤにアンテナを介して送信する通信手段を設け、
前記制御用コンピュータは前記ＲＦＩＤ読取装置を介して前記開始情報と終了情報を受け取ると、各施設の最適な利用順を計算して該当する利用者携帯用ＲＦＩＤへ伝達することを特徴とする待順番管理システム。
【発明の詳細な説明】
【技術分野】
【０００１】
本発明は待順番管理システムに係り、特に一度に多人数の検診を実施する人間ドック管理システム及び方法に関する。
【背景技術】
【０００２】
従来の健康診断業務に関する技術としては、ＩＣカードに診断データや受診者情報を記録する特許文献１がある。また、受診者が各検診施設に無線表示端末から予約を入れ、その端末から検診順や場所等のガイダンスを受ける特許文献２がある。さらに、受診者の診断進捗情報を自動的にネットワークに接続された管理端末に収集し、診断業務の諸情報を収集・蓄積・解析・出力を行う特許文献３が知られている。
【０００３】
【特許文献１】特開２００４−１６４０９５号公報
【特許文献２】特開２００２−３１２４７３号公報
【特許文献３】特開２００３−９１５８８号公報
【発明の開示】
【発明が解決しようとする課題】
【０００４】
しかし、特許文献１に記載の技術では、受診者の診断データを含む各種情報の記録をＩＣカードにより行うのみで、これらの情報をデータベース化しても、診断現場での個々の進捗管理や検診順案内を管理するには不十分である。
【０００５】
また、特許文献２に記載の技術では、受診者各々が検診施設と検診項目を自分の都合に合わせて選択・登録することができ、個別の進捗管理や情報伝達を受診者個別の無線表示端末にて実施することが出来る。しかし、受診者全員を同一施設に集め、受診者に時間や項目選択権の無い検診においては実施形態が異なるので、これを適用しようとすると運用上で支障をきたし、管理が十分に行えないという問題がある。
【０００６】
さらに、特許文献３に記載の技術は、受診者の情報と検診計画を記録した管理ファイルおよび自動進捗情報収集を管理ファイルに更新記録し、所定時間毎に該ファイルを検査することにより進捗状況を自動確認し、状況に応じて警告を発する機能を有している。しかし、受診者個別に受診案内を伝達したり受診待ち時間を知らせたりするような管理システムと受診者本人との情報の伝達機能については何ら示されていない。進捗管理をしている現場サイドでの適用を考えると、進行管理として用いるのには充分ではないという問題がある。
【０００７】
本発明の目的は、上記従来技術の問題点に鑑み、多人数の待順番を効率的に管理できる待順番管理システムを提供することにある。また、健康診断業務の進捗管理にあたり、多人数の受診者を効率よくコントロールできる人間ドック管理システムおよび方法を提供することにある。
【課題を解決するための手段】
【０００８】
上記目的を達成する本発明のシステムは、利用種目の異なる複数の利用設備と、利用種目ごとに複数の利用者の待ち順を管理して順次利用者を割り当てる制御用コンピュータを備えるものである。利用者とシステム側で送受信可能であり、利用者の固有ＩＤ等を登録した利用者携帯用ＲＦＩＤ（Radio Frequency Identification）と、前記利用設備毎に付帯され、施設利用の開始情報と終了情報を利用者携帯用ＲＦＩＤから読み取るＲＦＩＤ読取装置と、前記制御用コンピュータから前記施設の利用指示情報をＲＦＩＤにアンテナを介して送信する通信手段を設ける。前記制御用コンピュータは前記ＲＦＩＤ読取装置を介して前記開始情報と終了情報を受け取ると、各施設の最適な利用順を計算して該当する利用者携帯用ＲＦＩＤへ伝達することを特徴とする。
【０００９】
上記目的を達成する本発明の人間ドック管理システムは、検診項目の異なる複数の検査設備と、検査種目ごとに複数の受診者の待ち順を管理して順次受診者を割り当てる制御用コンピュータを備えるものにおいて、受診者とシステム側との間で送受信可能で、受診者の固有ＩＤ等を登録した受診者携帯用ＲＦＩＤと、前記検査設備毎に付帯され、検診の開始情報と終了情報を受診者携帯用ＲＦＩＤから読み取るＲＦＩＤ読取装置と、前記制御用コンピュータから前記検査設備の利用指示情報をアンテナを介して前記受診者携帯用ＲＦＩＤに送信する通信手段を設け、前記制御用コンピュータは前記ＲＦＩＤ読取装置を介して前記開始情報と終了情報を受け取ると、各検査設備の最適な利用順を計算して該当する利用者携帯用ＲＦＩＤへ検診指示情報を伝達することを特徴とする。
【発明の効果】
【００１０】
本発明によれば、各受診者への受診指示を人手を介することなく伝達することができる。また、受診者の検診進捗情報を自動収集することができるので、省力化および人為的ミスの排除、管理者側の検診制御の労力を低減させるのに効果がある。
【発明を実施するための最良の形態】
【００１１】
本発明の待順番管理システムは、受診等の利用の開始及び終了情報の収集と利用案内の伝達方法を人手を介さずに行うため、各利用者にＲＦＩＤを配布する。利用者配布用のＲＦＩＤは腕時計型で、案内情報受信用には広範囲に通信可能なＲＦＩＤを用い、利用開始及び終了情報発信には数１０ｃｍ程度通信可能なＲＦＩＤを用いる。このＲＦＩＤは数個のボタンを付加され、表示の切替えも可能である。これらのＲＦＩＤと利用設備に付属するデータ読取・書込器との間のデータ通信を円滑にするため、アンテナは電波死角の無いように配置する。なお、ＲＦＩＤ（Radio Frequency Identification）については、特開２００１−２５００９７号公報、特開２００４−３２０６０７号公報、特開２００４−３６２６０２号広報などに広く知られている。
【実施例１】
【００１２】
図１は、本発明の１実施例による人間ドック検診管理システムの運用形態を模式的に示す説明図である。待合室１０に集合した複数の受診者は、予め設定されている検診進行表に基づいて検診進捗管理端末１４からアンテナ１５を介して発信される受診案内や待ち時間等を、受診者毎に身に付けている腕時計型ＲＦＩＤ１１により目視し、確認する。腕時計型ＲＦＩＤ１１は受診案内の場合に微小振動を行い、確認したことを通知するための確認ボタン１１Ａを点滅し、確認ボタン１１Ａを押すと振動と点滅が停止する。
【００１３】
この操作後、受診者は複数の検診室のうち、指定された検査項目の検診室１２に赴く。検診室１２には検診状況を読取・書込するための読取書込装置１３が設置されている。自分の受診順番になったら、読取書込装置１３に腕時計型ＲＦＩＤ１１を近接させ、診察開始を登録する。この検診進捗情報はＬＡＮを介して検診進捗管理端末１４に送信される。受診終了時は読取書込装置１３に腕時計型ＲＦＩＤ１１を近接させ、診察終了を登録する。この検診進捗情報はＬＡＮを介して検診進捗管理端末１４に送信される。終了登録時、読取書込装置１３は腕時計型ＲＦＩＤ１１に当該検診項目が終了した情報を書き込む。
【００１４】
終了情報を受取った検診進捗管理端末１４は検診進行表を更新し次の受診順を計算し、待合室１０などに待機中の受診者にアンテナ１５を介して受診者が携帯している腕時計型ＲＦＩＤ１１に受診案内（検診指示や待ち時間など）の情報を送信する。この手順を全受診者が全検査項目を終了するまで行う。なお、医療機関で電波を使用することに関しては、ＲＦＩＤおよびアンテナの出力を許容範囲内に納め、診断機器への影響が出ないレベルで使用する。
【００１５】
図２は検診進捗管理端末の構成図で、主要なファイルおよびプログラムを示している。主なファイルには検診の進行を管理・記録する進行表ファイル２１、受診者固有の情報を記録している受診者情報ファイル２２である。プログラムには、受診者が携帯しているＲＦＩＤに対し情報を送信するＲＦＩＤ送信部２４、情報を受信するＲＦＩＤ受信部２５がある。また、受信したデータを解析し進行表２１の内容を更新する進行表更新部２３、更新した結果で受診順番を決めたり、検診終了などを判断し、ＲＦＩＤ送信部２４へデータを送る進行表計算部２７がある。さらに、進行表をディスプレイ上で表示・編集する進行表表示部２６、進行表ファイル２１を新規作成したり保存したりする進行表作成部２９、検査室１２に設置されている読取・書込装置１３から受診開始・終了データを受け取るＬＡＮ通信部２８がある。
【００１６】
図３は進行表ファイルを表形式で例示した構成図である。検診項目欄３０には採血・聴力・胸部Ｘ線…などの検診項目が記載されている。採血１のように検診項目名に番号が付与されているものは同時に検査できる数を表し、この例では採血１〜３とあって、同時に３人の採血が実施できることを示している。
【００１７】
検診状態欄３２は現時点での検査項目毎の実施能力を表している。０は検査項目がまだ始まっていないことを示し、−２は全ての検診が終了したことを示す。それ以外の１〜１０は検診実施中を示し、項目欄３０で説明したと同じの同時実施可能な検査数を示している。
【００１８】
待行列定員数欄３３は待ち行列の最大人数を予め定義している。採血の例で説明すると、３人が同時検診中で、別に３人まで待たせることを示している。待ちの１人が検診中になると新たに１名を待ちに入れることになる。待ち行列に入った場合、ＲＦＩＤには待ち時間の表示はしない。
【００１９】
検査項目標準処理時間欄３４は検査項目ごとに１人を検査するのに必要な時間を示し、受診者に待ち時間を伝達するときの基礎情報である。これらの数値は過去に実施された検診データの積算平均値を利用するが、女性と男性により利用を変えて使用してもよい。
【００２０】
経過時間欄３５は検査開始からの経過時間で、開始事時点で標準時間をコピーして定期的に減算していく。０になったら、それ以上の減算は行わない。
【００２１】
検診順欄３６は項目欄３０の実施順序を予め定義している。基本的に１から順に従って検診項目を受診者に指示していく。この例では同じ順位が複数設定されている項があるが、この場合は同率順位内ではどの検診項目を、任意の順で実施しても良いことを示す。なお、数字の後にＡ、Ｂが付加されているものは、同じアルファベットで検診ペアが設定されていることを示している。例えば、順２の検診を全て終了した受診者が３番で示される項目群のうち３Ａを割り当てられたとすると、３Ａが終了した後は続けて４Ａを受診しなければならず、他の検診を割り当てることを禁止している。当然、検査内容によって３Ａ、４Ａ、５Ａ、…と３個以上の設定をすることも可能である。４Ａ終了後に、順３に未実施の項目が残っていれば、それを割り当てていく。
【００２２】
待行列数欄３７は検査項目の待行列に並んでいる受信者の数である。待合室１０で待っている受信者は検診指示を受けて待行列に入る。検診項目の標準処理時間３４が短い、あるいは待合室から検査室までの移動距離が長いなどの場合は、検査室で受診待行列を形成すると検診全体の処理時間が短縮できる。待行列数欄３７における現時点の人数が待ち行列定員数３３以下の場合は受診者の割り当てが可能になる。
【００２３】
受診者欄３８は受診者の受診状態を示す。受診者数全員を１番からＮまでＩＤを付与し、各検査項目に対し行列状に配置し、各受診者の検診進行状態を示している。−１は非受診項目、０は待行列中、１は受診開始及び受診中、２は項目検診終了、空白は実施待ちを意味する。空白が全て２か−１になったら検査終了となる。
【００２４】
待時間欄３１は受診者の待機中（待合室などに待機して待行列に入っていない状態）の累積時間で、待行列に入ったら−１にする。待時間３１は１つの検査項目の検査終了で０クリアされ、全ての検査が終了したら−２とする。
【００２５】
従って、検診指示があったタイミングで該当検診項目の検診待行列数３７を１クリアする。検診待行列数３７に定員未満の項目があるとき、該項目を受診しようとする最長待ち時間の受診者を検索し、該当受診者のＲＦＩＤに検診指示を発信し、該項目の待行列数３７に登録する。該当受診者のＲＦＩＤから検診の開始が入力されると検診状態に１を加算して、開始状態を記録する。また、ＲＦＩＤから検診終了が入力されると、進行表２１の検診状態に１を加算して２にし、待ち行列数３７を１減ずる。
【００２６】
次に、本人間ドック検診管理システムの処理手順を説明する。図４は受付け事前の登録処理のフローチャートである。病院は検診実施日を定め受診者を募集し、決定し、当該者に通知する（401）。次に受診者へＩＤを割当て、ＲＦＩＤを発行する(402)。これを受け、制御コンピュータ（検診進捗管理端末）の進行表２１には受診者と検診項目などの受信者情報を格納する(403)。また、各ＲＦＩＤには個人情報と項目情報、ＩＤ、氏名のラベルを貼り付ける(404)。
【００２７】
図５Ａ、図５Ｂは検診進捗管理端末と受診者ＲＦＩＤとの検診処理を示すフローチャートである。図５Ａで、病院は検診開始時に各受診者へＲＦＩＤを配布する（501）。受診者はこれを装着し（512）、待合室へ移動し待機する（513）。制御コンピュータ（検診進捗管理端末）は処理Ａを定期的に開始し、受診者の待ち時間を累積し（502）、各受診者へ待ち時間を送信する（503）。受診者ＲＦＩＤは待ち時間を表示する（511）。
【００２８】
さらに、制御コンピュータは進行表２１を検索し、待行列数３７に定員未満の待ちが有るかを探す（504）。無い場合は、処理Ｂに移行する。処理504で、待行列の待ち人数が定員に満たない場合は、待合室に受診待機者がいるか確認する（507）。いなければ処理502に戻る。いれば待ち時間最長の人を検索（508）し、該当者が当該検診項目を終了しているか否かを確認する（509）。済んでいれば処理502に戻る。済んでいなければ、実施順序を確認（510）し、検診ペアが設定されているなど実施順序に問題があれば処理502に戻り、問題なければ処理Ｂに移る。
【００２９】
ここで、図３の処理表を参照すると、最大待時間の受診者は(4)である。受診者(4)は項目(１)は終了し、次の検診項目は検診順２の聴力(2)または胸部Ｘ線(3)である。聴力(2)は待行列数が定員のため割り当て不可である。一方、胸部Ｘ線(3)は定員未満のため、受診者(4)はここに割り当てられる。この結果、胸部Ｘ線(4)の待行列数３７を０から１にカウントアップし、受診者欄３８の受診者(4)の胸部Ｘ線(4)の欄を０にし、待行列に入ったことを示す。
【００３０】
次に、図５Ｂの処理Ｂで、図５Ａの処理により決定された該当者を検診待行列に登録し(601)、当該者のＲＦＩＤに検診案内を発信する（602）。制御コンピュータは処理（602）を実施後、進行表の当該受診者の待時間欄を０クリアし（603）、進行表を検診待ち状態に更新して該当者を登録し（604）、図５Ａの(502)の処理に戻る。
【００３１】
一方、受診者ＲＦＩＤは受信した案内をＲＦＩＤの表示部に表示し、同時に振動と確認ボタンの点滅を行い受診者に通知する（613）。受診者は通知を確認したらＲＦＩＤの確認ボタンを押し振動と点滅を停止させ、診察室へ行き（614）、検診を受ける（615）。受診者は診察の開始時にＲＦＩＤ読取書込装置１３に開始情報を読み取らせる（616）。開始情報を受けた制御コンピュータは進行表の受診者欄に当該者を検診開始状態として更新し、図５Ａの処理502に戻る。
【００３２】
検診（617）が終了したら、終了情報をＲＦＩＤ読取書込装置に読み取らせる（618）。受診者ＲＦＩＤは終了情報をＲＦＩＤ自身に書き込む（619）。終了情報を受けた制御コンピュータは進行表の該当欄に当該者を検診終了状態として更新し（606）、更に当該待ち行列数を１減ずる（607）。次に当該者が予定検診項目を全て終了したかを進行表にて確認する（608）。全て終了していれば受診者ＲＦＩＤに終了を送信し、ＲＦＩＤはそれを表示する（620）。受診者は確認後（621）、病院側にＲＦＩＤを返却する（622）。
【００３３】
一方、処理（608）で、まだ検診項目が残っていれば、次に当該検診項目は全ての受診予定者を終了したか確認し（609）、まだ残っていれば図５Ａの処理502に戻る。当該者の検診項目が全て終わっていれば、進行表の検診状態欄を終了に更新する（610）。次に全員が全ての検診を終了したかを確認する（611）。終わっていなければ、図５Ａの処理502に戻る。終わっていれば、受診者に順に検診結果を説明し検診結果の記録を配布し（623）、当日の検診を終了する。
【００３４】
図６に次回検診までの待ち時間の説明を行う進行表を示す。この例では受診者(3)が最大待時間となっている。受診者(3)は検診項目(6)の血圧（検診順３Ｂ）を実施済みである。従って検診順４Ｂの視力・眼底・眼圧の項目(7)を実施したいが、項目(7)の待行列は定員一杯であり、検診中の１人の受診者が終了するまで待つことになる。この受診者の経過時間は９０秒となっているので、９０秒後に終了予定である。そこで、制御コンピュータの受診者(3)のＲＦＩＤに対し、次回検診までの待ち時間は９０秒であることを案内する。
【００３５】
図７は検診項目スタンバイ処理を示している。検診項目が準備でき検診業務を開始する時、病院側は検診スタンバイを伝達する（801）。検診スタンバイを伝達された制御コンピュータは進行表の検診状態欄を検診中に更新する（802）。その後、図５Ａ(502)の処理に戻る。
【００３６】
図８はＲＦＩＤの表示欄に検診状況を一覧表示させるときの処理を示している。受診者は自分の受診項目がどこまで終了し、何が残っているかの一覧を見たい時に、ＲＦＩＤに設けられている検診状態表示ボタンを押す（902）。この結果、ＲＦＩＤは記録している受診状態を一覧表示する（901）。
【００３７】
受診案内等が発生した場合は、ＲＦＩＤは自動的に表示を案内に切替える機能を持つ。図９はＲＦＩＤの機器と表示例を示している。（ａ）は受診案内待ち時間の表示例で、次の診断までの待ち時間が示される。（ｂ）は検診状況一覧表の表示例で、黒丸付きが終了を意味する。表示切替えボタン１０１Ａを押す毎に表示が順番に切替っていく。また、画面スクロールボタン１０１Ｂを押すと、表示内容により画面がスクロールする。受診案内があると、画面は自動的に案内表示に切り替わる。
【００３８】
（ｃ）は受診案内表示例である。１０１Ｅは受診者のＩＤであり、１０１Ｃは受診者の氏名である。これらは配布前に病院側がＲＦＩＤにラベル貼り付けしておく。待ち行列で順飛ばしをしないように、１つ前の順番の受診者のＩＤも表示している。ＲＦＩＤは受診者に受診案内がきたことを気づかせるため振動（103A）し、確認ボタン部１０１Ｄが点滅（103B）する。点滅中の確認ボタンを押すと点滅と振動は終了する。（ｄ）は全ての検診が終了したときの表示例である。
【００３９】
本実施例による人間ドック検診管理システムによれば、各受診者に腕時計型ＲＦＩＤを携帯させ、システム側の制御コンピュータに受診開始・終了を通知するので、制御コンピュータは受診者の待ち行列を最適化して待ち時間を表示する。また待ち行列から、適時に次の受診項目を含む受診通知を指示するので、待ち時間を減少すると共に検診サービスを向上できる効果がある。
【００４０】
本発明の待順番管理システムは上記実施例に限られるものではない。例えば、テーマパークなどで多数の利用者が複数のサイトを利用するときの待順番管理システムにも適用できる。
【００４１】
すなわち、最初に入口受付で各利用者が利用したいサイト（項目）を入力し、腕時計型ＲＦＩＤを受け取る。ＲＦＩＤは広範囲（例えば１−２ｋｍ）の通信が可能なものと、数１０ｃｍ程度の通信が可能なものからなる。利用進捗管理を行う制御コンピュータは各サイトの利用状態と待行列定員数と利用希望者に基いて待行列を演算して進行表を管理する。また、利用者ごとの待ち時間を求め各利用者に通知する。利用者は希望サイトの利用通知を受けると、当該サイトに移動し、そこに付設されている読取・書込装置にＲＦＩＤを近接して利用開始を制御コンピュータに通知し、利用を終了すると同様にして利用終了を通知する。制御コンピュータはサイト毎に、各利用者からの利用開始・終了の通知を受けて待ち行列を演算し、各サイトの次の利用希望者に通知する。待ち順番管理システムの具体的な管理方法や手順は上記人間ドック検診管理システムの場合と同様に行う。
【００４２】
本発明によれば、ウエアラブルな腕時計型ＲＦＩＤとアンテナを用いたシステムは電波到達範囲内での簡単な情報伝達・応答機能を安価で実現できるため、他にも作業現場での指示・店舗での販売指示等々の局面にも適用できる。
【図面の簡単な説明】
【００４３】
【図１】本発明の一実施形態を示す人間ドック検診管理システムの模式的な構成図。
【図２】検診進捗管理端末部の構成図。
【図３】検診状況と検診進行順を決定する進行表の構成図。
【図４】検診前処理時のフローチャート。
【図５Ａ】本発明の一実施形態のシステムによる検診処理前半部のフローチャート。
【図５Ｂ】検診処理後半部のフローチャート。
【図６】次回検診までの待時間の説明をする進行表の構成図。
【図７】検診項目がスタンバイしたときのフローチャート。
【図８】ＲＦＩＤの表示内容を切り替えるときのフローチャート。
【図９】ＲＦＩＤの機器構成と表示内容例を示した模試図。
【符号の説明】
【００４４】
１０…待合室、１１…腕時計型ＲＦＩＤ、１１Ａ…確認ボタン、１２…検査室、１３…ＲＦＩＤ読取・書込機器、１４…検診進捗管端末、１５…アンテナ（空中線）、２１…進行表ファイル、２２…受信者情報ファイル、２３…進行表ファイル更新部、２４…ＲＦＩＤ送信部、２５…ＲＦＩＤ情報受信部、２６…進行表表示部、２７…進行表計算部、２８…ＬＡＮ通信部、３０…項目欄、３１…待時間欄、３２…検診状態欄、３３…待行列定員欄、３４…標処理時間欄、３５…経過時間、３６…検診順欄、３７…待行列数欄、３８…受診者欄、１０１Ａ，１０１Ｂ…検診状態表示ボタン、１０１Ｃ…受診者名ラベル、１０１Ｄ，１０３Ｂ…確認ボタン、１０１Ｅ…受診者ＩＤ。
【図１】
2006302006.tif 000003
【図２】
2006302006.tif 000004
【図３】
2006302006.tif 000005
【図４】
2006302006.tif 000006
【図５Ａ】
2006302006.tif 000007
【図５Ｂ】
2006302006.tif 000008
【図６】
2006302006.tif 000009
【図７】
2006302006.tif 000010
【図８】
2006302006.tif 000011
【図９】
2006302006.tif 000012